(57)【要約】      （修正有）【課題】ポスター等の掲示物を木製ボードやプラスチック板、スチール棚等に着脱自在に取り付けることができ、しわや弛みの発生を防止することができる掲示用引張押え具を提供する。【解決手段】開閉自在な渦巻き状の押え部３を形成してなる押え板により、押え部を適宜開いた状態にし、ポスターＰＳ等の掲示物の４隅に取り付けることにより、押え部の閉じようとする力により、常時引張り方向Ｈに移動するもので、しわや弛みの発生を防止することができる。また、押え部がスベリ止め部材５にすることにより引張力を増すことができ、受板によりスムーズに掲示物を差し込み取り付けることができる。さらに、押ピン・貼着部・磁石を設けることにより、木製ボードやプラスチック板、スチール棚等に着脱自在に取り付けることができる。【選択図】図４
2006178398.tif 000002
【特許請求の範囲】
【請求項１】
ポスター等の掲示物のしわや弛みの発生を防止するための掲示用引張具であって、開閉自在な渦巻き状の押え部を形成してなる押え板からなることを特徴とする掲示用引張押え具。
【請求項２】
ポスター等の掲示物のしわや弛みの発生を防止するための掲示用引張具であって、押え板の下方に前後に移動する押え部を設けてなることを特徴とする掲示用引張押え具。
【請求項３】
押え板の押え部が、スベリ止め部材で形成してなることを特徴とする請求項１又は２記載の掲示用引張押え具。
【請求項４】
押え板に、ピン止め孔を設けてなることを特徴とする請求項１、２又は３記載の掲示用引張押え具。
【請求項５】
押え板に、貼着部及び／または磁石を設けてなることを特徴とする請求項１、２、３又は４記載の掲示用引張押え具。
【請求項６】
押え板の下面に、掲示物を挟持するべく受板を設けてなることを特徴とする請求項１、２、３、４又は５記載の掲示用引張押え具。
【請求項７】
受板がスベリ易い部材であることを特徴とする請求項６記載の掲示用引張押え具。
【請求項８】
受板に、案内部を形成してなることを特徴とする請求項６又は７記載の掲示用引張押え具。
【請求項９】
押え板と受板とを一体に設けてなることを特徴とする請求項６、７又は８記載の掲示用引張押え具。
【請求項１０】
受板に、貼着部及び／または磁石を設けてなることを特徴とする請求項６、７、８又は９記載の掲示用引張押え具。
【請求項１１】
ポスター等の掲示物のしわや弛みの発生を防止するための掲示用引張具であって、線材を折曲して中央に押え部を一体に設けてなる押え体の後端にピン止め部を設けてなることを特徴とする掲示用引張押え具。
【発明の詳細な説明】
【技術分野】
【０００１】  本発明は、ポスター等の掲示物を掲示した時、特に気温や湿度の変化により掲示物にしわや弛みが生じてしまう。
これらのしわや弛みの発生を防止するための掲示用引張押え具に関するものである。
【背景技術】
【０００２】  従来の技術としては、吸着の吸着面と反対側に押え材を設け、押え材は吸盤をガラス面など吸盤の付く面に吸い付いた際に押え材の一部（押え部）がガラス面など吸盤の付く面と接触するような形状としてなるものがある。（特許文献１参照）【０００３】  また、四角形以上の多角形のシート状表示物を展張状態で掲示するシート状表示物の掲示具であって、前記シート状表示物の裏面の対向辺部および／または対向角部に固着される複数個の掛止部材と、対向配置された該掛止部材間に交差配置される複数本の弾性部材とを備え、前記各弾性部材の弾性力で前記各掛止部材を前記シート状表示物の外側へ押すようにして、前記シート状表示物を展張するシート状表示物の掲示具が開示されている。（特許文献２参照）【０００４】  さらに、コイルスプリング、板スプリングとクリップの組み合わせにより、ポスター、写真、布等の掲示物に常にテンションをかけ固定するものがある。（特許文献３参照）
【特許文献１】  特開平８−１６０８７０号
【特許文献２】  特開平１０−２２２１１５号
【特許文献３】  特開平８−６５１４号
【発明の開示】
【発明が解決しようとする課題】
【０００５】  しかしながら、上記前者の場合、単に押え材によりポスターの外周角部を押えているに過ぎず、長期使用した時、ポスターが周囲環境（湿度等）によりしわが寄ってしまうものである。【０００６】  また、上記中者の場合、構造が複雑であり、かつコスト高となると共に、ポスター等の掲示物には強い素材や弱い素材もあり、その調整が難しく、実用上問題がある。【０００７】  さらに、上記後者の場合は構成を限定しており、かつ押しピンで固定するため押しピンが使用できない窓やスチール製のロッカー等には使用できない。【０００８】  本発明は、このような従来の構成が有していた問題を解決しようとするもので、開閉自在な渦巻き状の押え部を形成してなる押え板（押え体）により、押え部を適宜開いた状態（前に移動させた状態）にし、ポスター等の掲示物の４隅に取り付けることにより、押え部の閉じようとする力（後に移動しようとする力）により、常時引張り方向に移動するもので、しわや弛みの発生を防止することができる。
また、押え部がスベリ止め部材にすることにより引張力をアップさせることができ、受板によりスムーズに掲示物を差し込み取り付けることができる。
さらに、押ピン・貼着部・磁石を設けることにより、木製ボードやプラスチック板、スチール棚等に着脱自在に取り付けることのできる掲示用引張押え具を提供することを目的とする。
【課題を解決するための手段】
【０００９】  本発明は、上記目的を達成するために、ポスター等の掲示物のしわや弛みの発生を防止するための掲示用引張具であって、開閉自在な渦巻き状の押え部（前後に移動する逆への字形の押え部）を形成してなる押え板からなること。また、押え板の押え部が、スベリ止め部材で形成してなること。押え板に、ピン止め孔を設けてなること。さらに、押え板に、貼着部及び／または磁石を設けてなること。押え板の下面に、掲示物を挟持するべく受板を設けてなること。さらにまた、受板がスベリ易い部材であること。受板に、案内部を形成してなること。その上、押え板と受板とを一体に設けてなること。受板に、貼着部及び／または磁石を設けてなることを特徴とする。
【発明の効果】
【００１０】１）、押え板の開閉自在な渦巻き状の押え部により、ポスター等の掲示物を常時引張ることができ、しわや弛みの発生を防止することができる。
２）、押え板の下方に前後に移動する押え部により、シンプルな構造ながら、しわや弛みの発生を防止することができる。
３）、線材を折曲して中央に押え部を一体に設けてなる押え体の後端にピン止め部を設けることにより、ポスター等に食い込み摩れ防止及び大型ポスター等に有効である。
４）、押え部をスベリ止め部材とすることにより、掲示物を強固に引張ることができ、特に重さのある大きなポスター等に有効である。
５）、押え板にピン止め孔を設けることにより、木製ボード等に押ピンにて取り付けることができる。
６）、押え板や受板に設けた貼着部により、プラスチック板等の掲示板に貼り付けて使用できる。
７）、押え板や受板に設けた磁石により、スチール棚等に着脱自在に取り付けられる。
８）、受板により、掲示物をスムーズに挿入でき、作業性を向上させてなる。
９）、受板を、スベリ易い部材にすることにより、よりスムーズに挿入できる。
１０）、案内部により、ポスター等の４隅の直角部を合せるのに有効で、ゆがみなく取り付けられる。
１１）、押え板と受板とを一体に設けることにより、取り付け、取り外しが容易にできる。
【発明を実施するための最良の形態】
【実施例１】
【００１１】  以下、本発明の実施例の形態を図面に基づいて詳細に説明する。
掲示用引張押え具１は、ポスター等の掲示物のしわや弛みの発生を防止するもので、バネ鋼あるいは合成樹脂製等による平板の先端方向に渦巻き状に形成した押え部３を形成してなる押え板２の後部にピン止め孔４を設けてなる。
なお、押え部３の外側に再剥離のりやゴムシート等によるスベリ止め部材５を設けてなる。
また、押え部３の下面をピン止め孔４の位置よりは下方に位置されることが望ましい。取り付け時において、押え力がアップする。（図１  二点鎖線参照）【００１２】  上記掲示用引張押え具１の使用例について下記に述べる。
例えば、木製ボードＭＢの上方１箇所に掲示用引張押え具１を押ピンＰ１にて固定（取り付ける）し、ポスターＰＳの上左端を差し込む。
つぎに、ポスターＰＳの上右端付近に別の掲示用引張押え具１をピンＰ２にて固定し、ポスターＰＳの上右端を差し込む。
つづいて、同様にポスターＰＳの下左右端付近に掲示用引張押え具１をピンＰ３・Ｐ４にて固定し、ポスターＰＳの下左右端を差し込む。
その後、各掲示用引張押え具１の押え部３を適宜開いて（巻きを戻す）再度ポスターＰＳに当接する。（図４  二点鎖線参照）
この状態で使用することにより、各掲示用引張押え具１の押え部３は常時閉じようとする力（図４  一点鎖線参照）が働き、よってポスターＰＳを引張り方向Ｈに引張っているため、スベリ止め部材５にてスベルことなく、しわや弛みを防止することができる。
【実施例２】
【００１３】  つぎに、他の実施例を説明する。
掲示用引張押え具２１は、上記と同様な押え板２２と平板状の受板６とを後端に一体に設けてなるもので、押え部２３と受板６との間にポスターＰＳ１等を差し込み取り付けるものである。
なお、必要に応じて受板６の後部下面に貼着部６ａ及び／または磁石６ｂを設けてもよい。
また、押え部２３より受板６を前方へ適宜突出する方が望ましい。
さらに、受板６はメラニン樹脂等のスベリ易い部材が望ましい。
【実施例３】
【００１４】  掲示用引張押え具３１は、受板３６の先端部に直角三角形状の案内部３６ａを形設してなるもので、ポスターＰＳ２（図８  二点鎖線参照）の４隅の角部を案内部３６ａに合せて取り付けることができるものである。
【実施例４】
【００１５】掲示用引張押え具４１は、前記と同様なポスター等の掲示物のしわや弛みの発生を防止するもので、バネ鋼あるいは合成樹脂製等による平板の先端を下方に折り曲げて、逆への字形に形成してなる押え部４３を一体に設けてなる押さえ板４２の後部にピン止め孔４４を設けてある。
なお、前記と同様なスベリ止め部材４５を押え部４３の外側（下面）に設けてある。【００１６】この掲示用引張押え具４１の使用方法は、ボードＢ４に押えピンＰ４１にて取り付け、ポスターＰＳ４を押え部４３の下面に差し込み、押え部４３を適宜矢印Ｙ方向に引張り、スベリ止め部材４５を当接し、矢印Ｈ方向の反力によりポスターＰＳ４を常時引張ってなり、しわや弛みを防止することができる。
なお、必要に応じて前後各受板と合せて使用することもできる。
【実施例５】
【００１７】この掲示用引張押え具５１は、バネ鋼あるいはステンレス鋼等による線材を折曲して平面クリップ状に形成し、中央に押え部５３を一体に設けてなる押え体５２の後端にピン止め部５４を設けてある。
なお、押え部５３に、塩化ビニール液を塗布して硬化させてなるスベリ止め部材５５を設けてなり、これもまた、上記掲示用引張押え具４１と同様な機能効果を有すると共に、押え部５３が面ではなく線であり、ポスターに食い込むことにより、摩れ止め効果を有すると共に、大型のポスター等に有効である。【００１８】  上記各実施例において、押え板や受板の材質は同様な機能があれば、特に限定するものではない。
また、掲示用引張押え具の大きさや押え板の巻き数等は、必要に応じて決めればよい。
さらに、スベリ止め部材は実施例以外のものでもよい。
【図面の簡単な説明】
【００１９】
【図１】  本発明の第１実施形態を示す掲示用引張押え具の正面図。
【図２】  本発明の第１実施形態を示す掲示用引張押え具の底面図。
【図３】  本発明の第１実施形態を示す掲示用引張押え具の使用状態の全体図。
【図４】  本発明の第１実施形態を示す掲示用引張押え具の使用状態の要部の側面図。
【図５】  本発明の第１実施形態を示す掲示用引張押え具の使用状態の要部の平面図。
【図６】  本発明の第２実施形態を示す掲示用引張押え具の正面図。
【図７】  本発明の第２実施形態を示す掲示用引張押え具の平面図。
【図８】  本発明の第３実施形態を示す掲示用引張押え具の平面図。
【図９】  本発明の第４実施形態を示す掲示用引張押え具の正面図。
【図１０】  本発明の第４実施形態を示す掲示用引張押え具の平面図。
【図１１】  本発明の第４実施形態を示す掲示用引張押え具の使用状態の平面図。
【図１２】  本発明の第５実施形態を示す掲示用引張押え具の正面図。
【図１３】  本発明の第５実施形態を示す掲示用引張押え具の平面図。
【符号の説明】
【００２０】１−−−掲示用引張押え具
２−−−押え板
３−−−押え部
４−−−ピン止め孔
５−−−スベリ止め部材
６−−−受板
ＰＳ−−ポスター
Ｂ−−−ボード
【図１】
2006178398.tif 000003
【図２】
2006178398.tif 000004
【図３】
2006178398.tif 000005
【図４】
2006178398.tif 000006
【図５】
2006178398.tif 000007
【図６】
2006178398.tif 000008
【図７】
2006178398.tif 000009
【図８】
2006178398.tif 000010
【図９】
2006178398.tif 000011
【図１０】
2006178398.tif 000012
【図１１】
2006178398.tif 000013
【図１２】
2006178398.tif 000014
【図１３】
2006178398.tif 000015